(57)【要約】【課題】  短時間で組立てることの可能な高度処理装置及び高度処理装置の組立て方法を提供する。【解決手段】  砂濾タンク２の前方に配置された前面配管を第１フレームＦ１に架設することで第１配管ユニットＵ１構成した。また、第１及び第２活性炭タンク３Ａ，３Ｂの前方に配置された前面配管を第２フレームＦ２に架設することで第２配管ユニットＵ２構成した。そして、高度処理装置１の設置場所にて、各配管ユニットＵ１，Ｕ２を対応するタンク２，３Ａ，３Ｂの各供給口及び排出口に連結するようにした。【選択図】      図１
2007038077.tif 000002
【特許請求の範囲】
【請求項１】
処理槽に原水を供給して処理水を生成する高度処理装置の組立て方法において、
前記処理槽に前記原水を供給するための原水用供給配管と、
前記処理槽から前記処理水を排出するための処理水用排出配管と
を含む配管を、予め固定部材に固定してユニット化した配管ユニットを形成しておき、
前記配管ユニットを、前記高度処理装置の設置場所に搬入し、同設置場所にて前記原水用供給配管を前記処理槽の原水用供給口に連結し、前記処理水用排出配管を前記処理槽の処理水用排出口に連結することで前記高度処理装置を組立てるようにしたことを特徴とする高度処理装置の組立て方法。
【請求項２】
請求項１に記載の高度処理装置の組立て方法において、
前記配管ユニットは、さらに、
前記処理槽に空気を供給するための空洗用供給配管と、
前記処理槽から前記空気を排気するための空洗用排気配管と、
前記処理槽に逆洗水を供給するための逆洗水用供給配管と、
前記処理槽から前記逆洗水を排出するための逆洗水用排出配管と、
前記処理槽に供給する逆洗水が前記処理水用排出配管に流れ込むのを規制する第１制御弁と、
前記処理槽から排出した逆洗水が前記原水用供給配管に流れ込むのを規制する第２制御弁と、を備え、
前記配管ユニットを、前記高度処理装置の設置場所に搬入し、同設置場所にて前記逆洗水用供給配管を前記処理槽の逆洗水用供給口に連結し、前記逆洗水用排出配管を前記処理槽の逆洗水用排出口に連結することで前記高度処理装置を組立てるようにしたことを特徴とする高度処理装置の組立て方法。
【請求項３】
請求項１又は２に記載の高度処理装置の組立て方法において、
前記処理槽は、前記原水中に含有した固形物を除去して第１次処理水を生成する砂濾タンクと、前記砂濾タンクにて生成された前記第１次処理水中に含有した色素汚濁成分を除去して二次処理水を生成する活性炭タンクとを備えていることを特徴とする高度処理装置の組立て方法。
【請求項４】
原水を処理して第１次処理水を生成する処理槽を備えた高度処理装置において、
前記処理槽に前記原水を供給するための原水用供給配管と、
前記処理槽から前記第１次処理水を排出するための処理水用排出配管と
を含む配管を、予め固定部材に固定されてユニット化した配管ユニットを備えたことを特徴とする高度処理装置。
【請求項５】
請求項４に記載の高度処理装置において、
前記処理槽は、前記原水中に含有した固形物を除去して第１次処理水を生成する砂濾タンクと、前記砂濾タンクにて生成された前記第１次処理水中に含有した色素汚濁成分を除去して二次処理水を生成する活性炭タンクとを備えていることを特徴とする高度処理装置。
【発明の詳細な説明】
【技術分野】
【０００１】
本発明は、高度処理装置の組立て方法及び高度処理装置に関する。
【背景技術】
【０００２】
従来より、液体、特に水を浄化処理する処理装置の一つに、不純物の沈殿を図る濾過処理槽を水の流路に配してワンウェイ或いは循環によって原水を浄化するようにした高度処理装置がある（たとえば、「特許文献１」参照）。この種の高度処理装置には、濾過処理槽として、砂濾タンクと活性炭タンクとを備え、原水を砂濾タンクに供給して固形物が除去された一次処理水をさらに活性炭タンクに供給することで、固形物及び色素汚濁成分を除去した二次処理水を生成するようにしたものが知られている。
【０００３】
ところで、高度処理装置は、前記原水及び処理水の流路を形成する前面配管を備えているが、一般に、その配管経路は複雑になっている。特に、砂濾タンク及び活性炭タンクを備えた高度処理装置では、原水を砂濾タンクに供給する供給配管、各種タンクにて処理された一次処理水及び二次処理水を取り出すための取出配管、及び各種配管を切り替え制御するための制御弁等以外にも、各タンク内に沈殿された固形物や色素汚濁成分を除去するための逆洗水を供給する逆洗水用の配管等が必要となる。
【特許文献１】特開２００４−８９９４号公報
【発明の開示】
【発明が解決しようとする課題】
【０００４】
ところで、高度処理装置を組立てる場合には、各配管及び制御弁等の組み合わせ等を確認するために工場内で各部材を仮組立てた後に、一端、各配管及び制御弁等を全て解体する。そして、解体した各部材をトラック等で取り付け場所に移送した後に、取り付け場所にて、再度、各部材を組立てるようにしていた。従って、組立てるのに非常に手間がかかるばかりか、組立てに要する時間も掛かってしまうという問題があった。
【０００５】
そこで、本発明は、短時間で組立てることの可能な高度処理装置及び高度処理装置の組立て方法を提供することを目的とする。
【課題を解決するための手段】
【０００６】
請求項１に記載の発明では、処理槽に原水を供給して処理水を生成する高度処理装置の組立て方法において、前記処理槽に前記原水を供給するための原水用供給配管と、前記処理槽から前記処理水を排出するための処理水用排出配管とを含む配管を、予め固定部材に固定してユニット化した配管ユニットを形成しておき、前記配管ユニットを、前記高度処理装置の設置場所に搬入し、同設置場所にて前記原水用供給配管を前記処理槽の原水用供給口に連結し、前記処理水用排出配管を前記処理槽の処理水用排出口に連結することで前記高度処理装置を組立てるようにしたことを要旨とする。
【０００７】
請求項２に記載の発明では、請求項１に記載の発明において、前記配管ユニットは、さらに、前記処理槽に空気を供給するための空洗用供給配管と、前記処理槽から前記空気を排気するための空洗用排気配管と、前記処理槽に逆洗水を供給するための逆洗水用供給配管と、前記処理槽から前記逆洗水を排出するための逆洗水用排出配管と、前記処理槽に供給する逆洗水が前記処理水用排出配管に流れ込むのを規制する第１制御弁と、前記処理槽から排出した逆洗水が前記原水用供給配管に流れ込むのを規制する第２制御弁と、を備え、前記配管ユニットを、前記高度処理装置の設置場所に搬入し、同設置場所にて前記逆洗水用供給配管を前記処理槽の逆洗水用供給口に連結し、前記逆洗水用排出配管を前記処理
槽の逆洗水用排出口に連結することで前記高度処理装置を組立てるようにしたことを要旨とする。
【０００８】
請求項３に記載の発明では、請求項１又は２に記載の発明において、前記処理槽は、前記原水中に含有した固形物を除去して第１次処理水を生成する砂濾タンクと、前記砂濾タンクにて生成された前記第１次処理水中に含有した色素汚濁成分を除去して二次処理水を生成する活性炭タンクとを備えていることを要旨とする。
【０００９】
請求項４に記載の発明は、原水を処理して第１次処理水を生成する処理槽を備えた高度処理装置において、前記処理槽に前記原水を供給するための原水用供給配管と、前記処理槽から前記第１次処理水を排出するための処理水用排出配管とを含む配管を、予め固定部材に固定されて成るユニット化した配管ユニットを備えたことを要旨とする。
【００１０】
請求項５の発明は、請求項４に記載の発明において、前記処理槽は、前記原水中に含有した固形物を除去して第１次処理水を生成する砂濾タンクと、前記砂濾タンクにて生成された前記第１次処理水中に含有した色素汚濁成分を除去して二次処理水を生成する活性炭タンクとを備えていることを要旨とする。
（作用）
請求項１に記載の発明によれば、処理槽と配管等が、予め、使用時の構成と同じように連結されてユニット化されている。従って、高度処理装置を組立てる際は、その各ユニットを互いに所定の位置で連結するだけでよいので、簡単に組立てられるとともに、その組立てに要する時間も短くて済む。
【００１１】
請求項２に記載の発明によれば、処理槽に原水や逆洗水を供給する各種配管、及び、処理槽の逆洗処理を行う際に各種配管内で原水と一次処理水とが混じり合ったりするのを規制する規制部材等が、予め、使用時の構成と同じように連結されてユニット化されている。従って、高度処理装置を組立てる際は、その各ユニットを互いに所定の位置で連結するだけでよいので、簡単に組立てられるとともに、その組立てに要する時間も短くて済む。
【００１２】
請求項３に記載の発明によれば、原水は、固形物及び色素汚濁成分を含有していても、その固形物及び色素汚濁成分が除去された二次処理水を生成することのできる高度処理装置において、その組立てを簡単に、且つ、短時間で行える。
【００１３】
請求項４に記載の発明によれば、処理槽と配管等が、予め、使用時の構成と同じように連結されてユニット化されている。従って、高度処理装置を組立てる際は、その各ユニットを互いに所定の位置で連結するだけでよいので、簡単に組立てられるとともに、その組立てに要する時間も短くて済む。
【００１４】
請求項５に記載の発明によれば、原水中の固形物及び色素汚濁成分が除去された二次処理水を生成することのできる高度処理装置において、その組立てを簡単に、且つ、短時間で行える。
【発明を実施するための最良の形態】
【００１５】
以下、本発明の高度処理装置の組立て方法及び高度処理装置を具体化した一実施形態を、図面に従って説明する。
図１は、本発明の高度処理装置の組立て方法によって組立てられた高度処理装置の全体斜視図である。
【００１６】
図１に示すように、高度処理装置１は、第１処理槽としての砂濾タンク２及び第２処理槽としての一対の活性炭タンク３（３Ａ，３Ｂ）と、各タンク２，３の前方にそれぞれ設
けられた前面配管Ｃと備えている。砂濾タンク２及び活性炭タンク３Ａ，３Ｂは、基台Ｍ上に設置されている。砂濾タンク２の前方には第１フレームＦ１が配置され、活性炭タンク３Ａ，３Ｂの前方には第２フレームＦ２が配置されている。そして、前面配管Ｃのうち、砂濾タンク２の前方に配置された各種配管は、第１フレームＦ１に架設固定されて第１配管ユニットＵ１を構成し、活性炭タンク３Ａ，３Ｂの前方に配置された各種配管は、第２フレームＦ２に架設固定されて第２配管ユニットＵ２を構成している。
【００１７】
図２は、砂濾タンク２及び活性炭タンク３Ａ，３Ｂの正面図である。
砂濾タンク２は、原水中の固形物を除去するためのものであって、その内部に図示しない砂状の濾過材が充填されている。砂濾タンク２は、上方部に原水用供給口５を、また、下方部に処理水排出口６を備えている。さらに、砂濾タンク２は、排気口７及び排水口８を備えている。そして、砂濾タンク２は、原水用供給口５から原水Ｗo（図１参照）が供
給されると、原水Ｗo中の固形物を前記濾過材にて濾過して除去した一次処理水Ｗ1（図１参照）を生成し、処理水排出口６からその一次処理水Ｗ1を排出する。
【００１８】
活性炭タンク３Ａは、一次処理水Ｗ1中の色素汚濁成分を除去するためのものであって
、その内部に図示しない活性炭が充填されている。また、活性炭タンク３Ａは、上方部に処理水供給口１０Ａを、また、その下方部には処理水排出口１１Ａを備えている。さらに、活性炭タンク３Ａは、空気排気口１２Ａを備えている。そして、活性炭タンク３Ａは、処理水供給口１０Ａから一次処理水Ｗ1（図１参照）が供給されると、一次処理水Ｗ1中の色素汚濁成分を前記活性炭によって除去した二次処理水Ｗ2（図１参照）を生成し、処理
水排出口１１Ａからその二次処理水Ｗ2を排出する。
【００１９】
尚、活性炭タンク３Ｂは、前記した活性炭タンク３Ａと同じ構成、同じ機能を備えたものであるので、活性炭タンク３Ｂの、活性炭タンク３Ａに対応した同じ部材については、符号中の「Ａ」を「Ｂ」に替えた符号を付して、その詳細な説明を省略する。
【００２０】
図３は、砂濾タンク２の前方に配置される第１フレームＦ１に架設された第１配管ユニットＵ１の構成を説明するための斜視図であり、図４は、活性炭タンク３Ａ，３Ｂの前方に配置される第２フレームＦ２に架設された第２配管ユニットＵ２の構成を説明するための斜視図である。
【００２１】
図３に示すように、第１フレームＦ１は、略直方体形状を成している。詳しくは、第１フレームＦ１は、４本の支柱Ｈaと、各支柱Ｈa間を連結し各支柱Ｈaによって囲まれたス
ペースＱ１を形成する支持部材Ｈbとを備えている。
【００２２】
そして、その支柱Ｈａと支持部材Ｈｂからなる第１フレームＦ１には、空洗用供給配管としての空洗用エア供給管Ｔｓ、原水配給管Ｔｏ、原水供給管Ｔ１、一次処理水排出管Ｔ２、第１逆洗水供給管Ｔ３、第１逆洗水排出管Ｔ４、エア抜き用配管Ｔ５、配水管Ｔ６、第１配管Ｔ７ａ、第１逆洗水配給管Ｔ8a及び空洗用排気配管としての排気管Ｔｈが架設されている。また、濾過原水弁Ｂ１、濾過処理水弁Ｂ２、第２制御弁としての逆洗弁Ｂ３、第１制御弁としての逆洗排水弁Ｂ４及び空洗弁Ｂｓが架設されている。
【００２３】
詳しくは、第１フレームＦ１内に形成されたスペースＱ１の上段のスペースＱ1aには、空洗用エア供給管Ｔｓ、原水配給管Ｔｏ、第１原水供給管Ｔ１、第１逆洗水排出管Ｔ４、排気管Ｔｈ、濾過原水弁Ｂ１、逆洗排水弁Ｂ４が配管されている。
【００２４】
空洗用エア供給管Ｔｓは、その一端が空洗弁Ｂｓを介して砂濾タンク２の処理水排出口６に連結されている。また、空洗用エア供給管Ｔｓは、その他端が図示しないブロワに連結されている。この空洗用エア供給管Ｔｓは、そのブロワにて生成された圧縮空気を供給
するための管であって、第１フレームＦ１の右側の上部及び中間位置に配置した支持部材Ｈbに取り付けられた固定部材Ｖ１に対して支持固定されている。そして、空洗用エア供
給管Ｔｓは、空洗弁Ｂｓが開いている時に、その前記ブロワを作動させることで、同ブロワにて生成された圧縮空気を処理水排出口６に供給するようになっている。
【００２５】
原水配給管Ｔｏは、その一端が濾過原水弁Ｂ１に固定連結され同濾過原水弁Ｂ１を介して第１原水供給管Ｔ１に連結されている。原水配給管Ｔｏは、その他端が図示しない原水配給部に連結されその原水配給部からの原水Ｗoを濾過原水弁Ｂ１及び第１原水供給管Ｔ
１を介して砂濾タンク２の原水用供給口５に配給するための管である。
【００２６】
第１原水供給管Ｔ１は三方管であって、その第１開口部２０ａ、第２開口部２０ｂ、第３開口部２０ｃを有している。第１開口部２０ａは、砂濾タンク２の供給口５（図２参照）に連結固定されるようになっている。第２開口部２０ｂは、濾過原水弁Ｂ１を介して前記原水配給管Ｔｏと連結固定されている。また、第３開口部２０ｃは逆洗排水弁Ｂ４を介して第１逆洗水排出管Ｔ４に連結固定されている。
【００２７】
この第１原水供給管Ｔ１は、濾過原水弁Ｂ１が開くとともに逆洗排水弁Ｂ４が閉じることで、原水配給管Ｔｏからの原水Ｗｏを砂濾タンク２の供給口５に供給し、濾過原水弁Ｂ１が閉じるとともに逆洗排水弁Ｂ４が開くことで、砂濾タンク２の供給口５から排出される逆洗水Ｗg（図１参照）を第１逆洗水排出管Ｔ４に排出可能とする。また、第１原水供
給管Ｔ１は、前記と同様に、濾過原水弁Ｂ１が閉じるとともに逆洗排水弁Ｂ４が開くことで、空洗用エア供給管Ｔｓから処理水排出口６を介して供給された前記圧縮空気Ａｏ（図１参照）を第１逆洗水排出管Ｔ４に排気可能とする。尚、第１逆洗水排出管Ｔ４は、その所定箇所にて排気管Ｔｈと固定連結し、空洗時における砂濾タンク２内に蓄積された固形物等を含む圧縮空気Ａｏを排気管Ｔｈを介して外部に排気する。
【００２８】
尚、この濾過原水弁Ｂ１は、右側中間位置に配置した上部中間支持部材Ｈcに、また、
逆洗排水弁Ｂ４は、左側中間位置に配置した上部中間支持部材Ｈcに、それぞれ図示しな
いネジ等で支持固定されている。
【００２９】
スペースＱ１の中段のスペースＱ1bには、一次処理水排出管Ｔ２、第１逆洗水供給管Ｔ３、濾過処理水弁Ｂ２、逆洗弁Ｂ３及び空洗弁Ｂｓが配管されている。
一次処理水排出管Ｔ２は、第１開口部２１ａ、第２開口部２１ｂ及び第３開口部２１ｃを有している。第１開口部２１ａは、砂濾タンク２の排出口６に連結固定されるようになっている。第２開口部２１ｂは、逆洗弁Ｂ３を介して第１逆洗水供給管Ｔ３に連結固定されている。尚、濾過処理水弁Ｂ２の他端は、第２フレームＦ２に架設された後記するバイパス管Ｓｐに連結固定されるようになっている。
【００３０】
この一次処理水排出管Ｔ２は、濾過処理水弁Ｂ２が開くとともに逆洗弁Ｂ３及び空洗弁Ｂｓが閉じることで、砂濾タンク２からの一次処理水Ｗ１をバイパス管Ｓｐに供給し、濾過処理水弁Ｂ２及び空洗弁Ｂｓが閉じるとともに逆洗弁Ｂ３が開くことで、第１逆洗水供給管Ｔ３からの逆洗水Ｗgを砂濾タンク２の処理水排出口６に供給可能にする。
【００３１】
また、一次処理水排出管Ｔ２は、濾過処理水弁Ｂ２及び逆洗弁Ｂ３が閉じるとともに空洗弁Ｂｓが開くことで、空洗用エア供給管Ｔｓから供給された前記圧縮空気Ａｏを砂濾タンク２の処理水排出口６に供給可能にする。
【００３２】
尚、逆洗弁Ｂ３及び空洗弁Ｂｓは、右側中間位置に配置した下部中間支持部材Ｈcに、
また、濾過処理水弁Ｂ２は、左側中間位置に配置した下部中間支持部材Ｈbに、それぞれ
図示しないネジ等で支持固定されている。
【００３３】
スペースＱ１の下段のスペースＱ1cには、第１配管Ｔ7a及び第１逆洗水配給管Ｔ8aが配管されている。第１配管Ｔ7aは、前記第１逆洗水排出管Ｔ４と連結され、同第１逆洗水排出管Ｔ４を介して砂濾タンク２から排出された逆洗水Ｗｇを排出する。
【００３４】
また、第１配管Ｔ7aは、水抜き弁Ｂ５を介して配水管Ｔ６が連結され、その配水管Ｔ６は砂濾タンク２の排水口８にフランジを介して連結されるようになっている。第１配管Ｔ7aは、空洗時における砂濾タンク２中の濾過材の流出を防止するために排水口８の高さまで同砂濾タンク２中の水位を下げるために配水管Ｔ６を介して原水Ｗoを排出する。
【００３５】
さらに、第１配管Ｔ7aは、エア抜き用配管Ｔ５が連結され、そのエア抜き用配管Ｔ５は砂濾タンク２の空気排気口７と連結されるようになっている。尚、エア抜き用配管Ｔ５は、自動エア抜き弁Ｂ６を備え、同自動エア抜き弁Ｂ６が開閉制御されることで、砂濾タンク２内の空気を抜く。
【００３６】
一方、第１逆洗水配給管Ｔ8aは図示しない逆洗水供給部に連結されるようになっていて、その逆洗水供給部にある逆洗水Ｗｇを配給する管である。そして、各管Ｔ7a，Ｔ8aは、それぞれ図示しない固定部材によって第１フレームＦ１に支持固定されている。
【００３７】
このように、前面配管Ｃを構成する各管Ｔｏ〜Ｔ６及び各弁Ｂ１〜Ｂ４は、フレームＦ１に架設固定されて第１配管ユニットＵ１が構成されている。
図４に示すように、第２フレームＦ２は、６本の支柱Ｈdと、各支柱Ｈd間を連結し各支柱Ｈdによって囲まれたスペースＱ2を形成する支持部材Ｈｅと、各支持部材Ｈｅ間を連結する中間支持部材Ｈｏを備えている。
【００３８】
そして、第２フレームＦ２の右半分には、第１活性炭タンク３Ａのための一次処理水供給管Ｓ1A、二次処理水排出管Ｓ2A、第２逆洗水供給管Ｓ3A、バイパス管Ｓｐ，連結管ＳaA，ＳbA、第２配管Ｔ7b、第２逆洗水配給管Ｔ8b、第２エア抜き用配管Ｓ5Aが架設されている。また、吸着原水弁Ｂ7A、二次原水弁Ｂ8A、逆洗排水弁Ｂ9A、吸着弁Ｂ10A、一次吸着
弁Ｂ11A及び逆洗弁Ｂ12Aが架設されている。
【００３９】
第２フレームＦ２内に形成されたスペースＱ２の右側上段のスペースＱ２ａには、一次処理水供給管Ｓ1A、バイパス管Ｓｐ、連結管ＳaA、吸着原水弁Ｂ7A、二次原水弁Ｂ8A及び逆洗排水弁Ｂ9Aは、第２フレームＦ２の上段のスペースＱ2aが配管されている。
【００４０】
一次処理水供給管Ｓ1Aは三方管であって、第１開口部２２aA、図示しない第２開口部、第３開口部２２ｃを有している。第１開口部２２aAは、第１活性炭タンク３Ａの供給口１０Ａに連結固定されるようになっている。図示しない第２開口部は、第１連結管ＳaAに連結固定されている。第３開口部２２ｃは逆洗排水弁Ｂ９Ａに連結固定されている。
【００４１】
第１連結管ＳaAは三方管であって、第１開口部２３ａ、第２開口部２３ｂ、第３開口部２３ｃを有している。第１開口部２３ａは、前記一次処理水供給管Ｓ1Aの第２開口部に連結固定され、第２開口部２３ｂは吸着原水弁Ｂ7Aを介してバイパス管Ｓｐが連結固定されている。このバイパス管Ｓｐは、前記第１フレームＦ１に架設された濾過処理水弁Ｂ２（図３参照）と連結固定され、一次処理水Ｗ１を供給する管である。第３開口部２３ｃは、二次原水弁Ｂ8Aの一端に連結固定されている。
【００４２】
一次処理水供給管Ｓ1Aは、吸着原水弁Ｂ7Aが開くとともに逆洗排水弁Ｂ9Aが閉じることで、一次処理水Ｗ１を第１活性炭タンク３Ａに供給し、逆洗排水弁Ｂ9Aを開くとともに吸着原水弁Ｂ7A及び二次原水弁Ｂ8Aを閉じることで、砂濾タンク２からの逆洗水Ｗgを後記
する第２逆洗水排出管Ｓoを介して第２配管Ｔ7bに排出可能になる。
【００４３】
そして、この吸着原水弁Ｂ7Aは第２フレームＦ２の上部右側位置の第１中間支持部材Ｈoに、また、二次原水弁Ｂ8Aは上部中央位置の中間支持部材Ｈoに、さらに、逆洗排水弁Ｂ9Aは上部左側位置の中間支持部材Ｈoに、それぞれ図示しないネジ等で支持固定されてい
る。
【００４４】
スペースＱ２の右側中段のスペースＱ２ｂには、二次処理水排出管Ｓ2A、第２逆洗水供給管Ｓ3A、連結管ＳbA、吸着弁Ｂ10A、一次吸着弁Ｂ11A及び逆洗弁Ｂ12Aが配管されてい
る。
【００４５】
二次処理水排出管Ｓ2Aは三方管であって、第１開口部２４aA、図示しない第２開口部、第３開口部２４ｃを有している。第１開口部２４aAは、第１活性炭タンク３Ａの排出口１１Ａに連結固定されるようになっている。図示しない第２開口部は、第２連結管ＳｂAに
連結固定されている。第３開口部２４ｃは、逆洗弁Ｂ12Aに連結固定されている。
【００４６】
第２連結管ＳbAは三方管であって、図示しない第１開口部、第２開口部２５ｂ、第３開口部２５ｃを有している。図示しない第１開口部は、二次処理水排出管Ｓ2Aの第２開口部に連結固定されている。第２開口部２５ｂは、吸着弁Ｂ10Aに連結固定されている。第３
開口部２５ｃは、一次吸着弁Ｂ11Aに連結固定されている。
【００４７】
二次処理水排出管Ｓ2Aは、吸着弁Ｂ10Aが開くとともに一次吸着弁Ｂ11A及び逆洗弁Ｂ12Aが閉じることで、第１活性炭タンク３Ａからの二次処理水Ｗ２を後記する二次処理水配
出管Ｔｐに排出する。尚、本実施形態の高度処理装置１では、一次吸着弁Ｂ11Aは、常時
閉じているように予め設定されている。
【００４８】
そして、この吸着弁Ｂ10Aは第２フレームＦ２の下部右側位置の中間支持部材Ｈoに、また、一次吸着弁Ｂ11Aは下部中央位置の中間支持部材Ｈoに、さらに、逆洗弁Ｂ12Aは下部
左側位置の中間支持部材Ｈoに、それぞれ図示しないネジ等で支持固定されている。
【００４９】
スペースＱ２の右側下段のスペースＱ２ｃには、第２配管Ｔ7b及び第２逆洗水配給管Ｔ8bが配管されている。第２配管Ｔ7bは、図３に示す前記第１配管Ｔ7aと連結し、第１及び第２活性炭タンク３Ａ，３Ｂから排出された逆洗水Ｗｇを排出する管である。第２配管Ｔ7bは、第２エア抜き用配管Ｓ５Ａが連結され、第２エア抜き用配管Ｓ５Ａは、第１活性炭タンク３Ａの空気排気口１２Ａと連結されるようになっている。第２エア抜き用配管Ｓ５Ａには、自動エア抜き弁Ｂ６Ａが接続され、同自動エア抜き弁Ｂ６Ａを開閉制御することで、第１活性炭タンク３Ａ内の空圧が大気圧になるように制御される。
【００５０】
第２配管Ｔ7bは、前記第１配管Ｔ7aと連結し、第１及び第２活性炭タンク３Ａ，３Ｂから排出された逆洗水Ｗｇを排出する管である。
一方、第２逆洗水配給管Ｔ8bは、図３に示す前記第１逆洗水配給管Ｔ8aに連結されるようになっていて、逆洗水Ｗｇを配給する管である。そして、各管Ｔ7b，Ｔ8bは、それぞれ図示しない固定部材によって第２フレームＦ２に支持固定されている。
【００５１】
第２フレームＦ２の左半分には、第２活性炭タンク３Ｂのための二次処理水配出管Ｔｐが配置されている。この二次処理水配出管Ｔｐは、その二次処理水Ｗ２を後段の図示しない処理槽等に配出するための管であって、第２フレームＦ２を構成する支持部材Ｈe，Ｈoに取り付けられた固定部材Ｖ２によって第２フレームＦ２に支持固定されている。
【００５２】
また、第２フレームＦ２の左半分には、第２活性炭タンク３Ｂのための第１活性炭タン
ク３Ａの前方に配置されたものと同じ管及び弁が配置されている。従って、説明の便宜上、第２活性炭タンク３Ｂの前方に配置された第２フレームＦ２における、第１活性炭タンク３Ａの前方に配置された第２フレームＦ２に対応した同じ部材については、符号中の「Ａ」を「Ｂ」に替えた符号を付して、その詳細な説明を省略する。
【００５３】
さらに、スペースＱ２の中央位置には、第２逆洗水排出管Ｓoが配管されている。第２
逆洗水排出管Ｓoは三方管であって、前記逆洗排水弁Ｂ9A，Ｂ9B及び前記第２配管Ｔ7bに
連結されている。この第２逆洗水排出管Ｓoは、逆洗排水弁Ｂ9A，Ｂ9Bを開くことで活性
炭タンク３Ａ，３Ｂの各供給口１０Ａ，１０Ｂから排出された色素汚濁成分を含んだ逆洗水Ｗgを第２配管Ｔ7bに排出する。
【００５４】
スペースＱ２の上段位置には、連結管Ｓａが配管されている。連結管Ｓａは、第１活性炭タンク３Ａの二次原水弁Ｂ8Aと第２活性炭タンク３Ｂの二次原水弁Ｂ8Bとの間に配管され、一次処理水Ｗ１を第２活性炭タンク３Ｂの一次処理水供給管Ｓ1Bに供給する。従って、砂濾タンク２にて生成された一次処理水Ｗ１は、この連結管Ｓａによって第１活性炭タンク３Ａ及び第２活性炭タンク３Ｂに同時に供給される。
【００５５】
スペースの下段位置には、連結管Ｓｂが左右方向に配管されている。連結管Ｓｂは、二次処理水配出管Ｔｐと吸着弁Ｂ10Aとの間に配管され、第１活性炭タンク３Ａにて生成さ
れた二次処理水Ｗ２を二次処理水配出管Ｔｐに供給する。
【００５６】
このように、前面配管Ｃを構成する各管Ｓ1A〜Ｓ５A，Ｓ1B〜Ｓ５B，Ｓo，Ｓa，Ｓb及
び各弁Ｂ７A〜Ｂ12A，Ｂ7B〜Ｂ12Bは、フレームＦ２に架設固定されて第２配管ユニット
Ｕ２が構成されている。
【００５７】
そして、上記のように構成された第１配管ユニットＵ１と第２配管ユニットＵ２とを図示しない工場にて組立てた後に、高度処理装置１の組立て前においては、第１配管ユニットＵ１と第２配管ユニットＵ２とを分離しておく。そして、高度処理装置１の設置場所に第１配管ユニットＵ１、第２配管ユニットＵ２を搬入し、各タンク２，３Ａ，３Ｂを基台Ｍ１上の所望の位置に設置した後に、第１配管ユニットＵ１を砂濾タンク２の前方に、また、第２配管ユニットＵ２を活性炭タンク３Ａ，３Ｂの前方に設置する。そして、第１配管ユニットＵ１の第１原水供給管Ｔ１の第１開口部２０ａを砂濾タンク２の原水用供給口５に連結し、一次処理水排出管Ｔ２の第１開口部２１ａを処理水排出口６に連結する。また、エア抜き用配管Ｔ５を砂濾タンク２の空気排気口７に連結し、配水管Ｔ６を排水口８に連結する。
【００５８】
同様に、第２配管ユニットＵ２の一次処理水供給管Ｓ1A，Ｓ1Bの各第１開口部２２aA，２２aBを第１及び第２活性炭タンク３Ａ，３Ｂの供給口１０Ａ，１０Ｂに連結し、二次処理水排出管Ｓ2A，Ｓ2Bの第１開口部２４aA，２４aBを第１活性炭タンク３Ａの排出口１１Ａ，１１Ｂに連結する。また、第２エア抜き用配管Ｓ５Ａ，Ｓ５Ｂを空気排気口１２Ａ，１２Ｂに連結する。また、第１配管Ｔ7aと第２配管Ｔ7bとを連結し、第１逆洗水配給管Ｔ8aと第２逆洗水配給管Ｔ8bとを連結し、さらに、バイパス管Ｓｐの一端を濾過処理水弁Ｂ２の他端に連結する。
【００５９】
これによって、設置場所での高度処理装置１の組立ては完了する。
上記実施形態によれば、以下の作用効果を奏する。
（１）上記実施形態によれば、前面配管Ｃのうち、砂濾タンク２の前方に配置された空洗用エア供給管Ｔｓ、原水配給管Ｔｏ、原水供給管Ｔ１、一次処理水排出管Ｔ２、第１逆洗水供給管Ｔ３、第１逆洗水排出管Ｔ４、及び、濾過原水弁Ｂ１、濾過処理水弁Ｂ２、逆洗弁Ｂ３、逆洗排水弁Ｂ４及び空洗弁Ｂｓを第１フレームＦ１に架設して第１配管ユニッ
トＵ１を構成した。従って、高度処理装置１の取り付け場所にて、前記各管Ｔｏ〜Ｔ４、及び、各弁Ｂ１〜Ｂ４を一つ一つ組立てる作業を必要としない。この結果、高度処理装置１を短時間で組立てることができる。
【００６０】
（２）また、上記実施形態によれば、第１配管ユニットＵ１と砂濾タンク２との高さ位置を調整した後に、第１配管ユニットＵ１の所定の管を砂濾タンク２の供給口５及び排出口６等に連結するだけなので、組立て作業を簡単にすることができる。
【００６１】
（３）上記実施形態によれば、前面配管Ｃのうち、第１活性炭タンク３Ａの前方に配置された一次処理水供給管Ｓ1A、二次処理水排出管Ｓ2A、第２逆洗水供給管Ｓ3A、連結管ＳaA，ＳbA、第２エア抜き用配管Ｓ５Ａ、バイパス管Ｓｐ、及び、吸着原水弁Ｂ7A、二次原水弁Ｂ8A、逆洗排水弁Ｂ9A、吸着弁Ｂ10A、一次吸着弁Ｂ11A及び逆洗弁Ｂ12Aを一つ一つ
第２フレームＦ２に架設して第２配管ユニットＵ２を構成した。従って、高度処理装置１の取り付け場所にて、前記各管Ｓ1A〜Ｓ5A、及び、各弁Ｂ7A〜Ｂ12Aを組立てる作業を必
要としない。この結果、高度処理装置１を短時間で組立てることができる。また、第２活性炭タンク３Ｂの前方に配置された各管Ｓ1B〜Ｓ５B、及び、各弁Ｂ７B〜Ｂ１２Bについ
ても同様であり、その組立てをする作業を必要としないので、高度処理装置１を短時間で組立てることができる。
【００６２】
（４）また、上記実施形態によれば、第２配管ユニットＵ２と第１及び第２活性炭タンク３Ａ，３Ｂとの高さ位置を調整した後に、第２配管ユニットＵ２の所定の管を各活性炭タンク３Ａ，３Ｂの供給口１０Ａ，１０Ｂ及び排出口１１Ａ，１１Ｂ等に連結するだけなので、組立て作業を簡単にすることができる。
【００６３】
（５）上記実施形態によれば、高度処理装置１は、１個の砂濾タンク２と、２個の活性炭タンク３Ａ，３Ｂとを備えている。従って、原水Ｗｏ中の固形物及び色素汚濁成分を除去した二次処理水Ｗ２を生成する高度処理装置の組立て時間を短くすることができる。
【００６４】
尚、この発明は以下のように変更して具体化することもできる。
・上記実施形態では、第１及び第２フレームＦ１，Ｆ２は、略直方体形状を成しているが、本発明は、これに限定されるものではなく、他の形状を成していてもよい。
・上記実施形態では、処理槽として砂濾タンク２及び活性炭タンク３に具体化したがこれに限定されるものではなく、他のフィルタ材を備えた処理槽であってもよい。例えば、この他のフィルタ材としては、キレート吸着材が挙げられる。
・上記実施形態では、処理槽として砂濾タンク２及び活性炭タンク３のみを備えた高度処理装置１に具体化したが、これに限定されるものではなく、処理槽として砂濾タンク２及び活性炭タンク３以外にさらに固液分離装置を備えた高度処理装置の前面配管に対しても適応することができる。この固液分離装置は、砂濾タンク２の前段に設けられ原水Ｗｏ中の固形物と液体とを分離する、または、活性炭タンク３の後段に設けられ二次処理水Ｗ２中の固形物と液体とを分離したりする処理槽であって、例えば、サンドセパレータが挙げられる。要は、処理槽は、濾過材や活性炭を備えた形態を成したものである必要はなく、他の形態を成したものであっても本発明は適応可能である。
・上記実施形態の高度処理装置１は、砂濾タンク２にて生成された一次処理水Ｗ１を第１活性炭タンク３Ａ及び第２活性炭タンク３Ｂに同時に供給して各活性炭タンク３Ａ，３Ｂにて同時に二次処理水Ｗ２を生成するようにしたものであったが、一次処理水Ｗ１を第１活性炭タンク３Ａ及び第２活性炭タンク３Ｂに交互に供給して二次処理水Ｗ２を生成するようにした、所謂メリーゴーランド方式を採用したものであってもよい。
・前面配管Ｃは、上記実施形態のものに限定されない。上記実施形態に記載の配管及び弁を備えた前面配管Ｃであっても本発明は適用できる。要は、前面配管Ｃがユニット化されていればよい。
・第１フレームＦ１の支柱Ｈa及び第２フレームＦ２は、それぞれ高さ位置を調整する位
置調整手段を備えているものであってもよい。このようにすることで、第１配管ユニットＵ１と砂濾タンク２との位置合わせ、及び第２配管ユニットＵ２と活性炭タンク３（３Ａ，３Ｂ）との位置合わせを行うことができる。この結果、各配管ユニットＵ１，Ｕ２とその設置面との間に特別な位置合わせのための部材を新たに取り付ける必要がないので、位置合わせに要する時間を短縮させることができる。
【図面の簡単な説明】
【００６５】
【図１】高度処理装置の全体斜視図。
【図２】砂濾タンク及び活性炭タンクの正面図。
【図３】第１配管ユニットの斜視図。
【図４】第２配管ユニットの斜視図。
【符号の説明】
【００６６】
２，３…処理槽としての砂濾タンク及び活性炭タンク、Ｗｏ…原水、Ｗ１，Ｗ２…処理水としての一次処理水及び二次処理水、１…高度処理装置、Ｔ１…原水用供給配管、Ｔ２，Ｓ２Ａ，Ｓ２Ｂ…処理水用排出配管としての処理水排出配管、Ｆ１，Ｆ２…固定部材としての第１及び第２フレーム、Ｗｇ…逆洗水、Ｔ３，Ｓｏ…第１及び第２逆洗水供給管、Ｔ４，Ｓ３Ａ，Ｓ３Ｂ…第１及び第２逆洗水用排出配管、Ｔｓ…空洗用供給配管としての空洗用エア供給管、Ｗ１…１次処理水、Ｗ２…二次処理水、Ｂ３…第２制御弁としての逆洗弁、Ｂ４…第１制御弁としての逆洗排水弁。
【図１】
2007038077.tif 000003
【図２】
2007038077.tif 000004
【図３】
2007038077.tif 000005
【図４】
2007038077.tif 000006